(57)【特許請求の範囲】
【請求項１】
略垂直に設けられた正面平面鏡と、該正面平面鏡に対して隣接して位置し、該正面平面鏡と面一の状態から該正面平面鏡に対して内向きの状態まで揺動可能に設けられた隣接平面鏡とを有する化粧鏡において、
前記正面平面鏡の端部裏側で前記隣接平面鏡の内側端よりも内側に光源が設けられ、該光源は、該隣接平面鏡が該正面平面鏡と面一の状態では該正面平面鏡及び該隣接平面鏡により実質的に隠蔽され、該隣接平面鏡が該正面平面鏡に対して内向きの状態では該隣接平面鏡により光が反射されるべく構成されていることを特徴とする化粧鏡。
【請求項２】
隣接平面鏡の裏側には収納空間が形成されていることを特徴とする請求項１記載の化粧鏡。
【請求項３】
正面平面鏡は略垂直のまま揺動可能に設けられ、該正面平面鏡の裏側には収納空間が形成されていることを特徴とする請求項１又は２記載の化粧鏡。
【請求項４】
請求項１、２又は３の化粧鏡を備え、該化粧鏡の前方に水栓及び洗面ボールをもつカウンタが形成されていることを特徴とする洗面化粧台。
【発明の詳細な説明】
【０００１】
【発明の属する技術分野】
本発明は化粧鏡及びこれを備えた洗面化粧台に関する。
【０００２】
【従来の技術】
化粧台等に設けられる一般的な化粧鏡では、正面平面鏡が垂直に設けられ、この正面平面鏡の左方には左側平面鏡が垂直に設けられ、正面平面鏡の右方にはその人等の右側面を写す右側平面鏡が垂直に設けられている。正面平面鏡はその前に位置する人等の正面を写す。また、正面平面鏡と面一の状態から正面平面鏡に対して内向きの状態まで揺動可能に設けられた左側平面鏡はその内向きの状態においてその人等の左側面を写す。同様に、正面平面鏡と面一の状態から正面平面鏡に対して内向きの状態まで揺動可能に設けられた右側平面鏡はその内向きの状態においてその人等の右側面を写す。そして、かかる化粧鏡では、通常、正面平面鏡の上方に蛍光燈等の光源が前方に突出して設けられ、この光源からの光によりその前に位置する人等を照らすことができるようになっている。
【０００３】
【発明が解決しようとする課題】
しかし、上記のように光源を設けた化粧鏡では、光源が正面平面鏡から前方に突出しているため、光源からの光が直接その前に位置する人を照射し、その人に眩しい感じを与えてしまう。また、このような化粧鏡では、正面平面鏡と光源との一体感のなさにより、デザイン性に欠けるという指摘もある。
【０００４】
この点、特開平４−３２５１０７号公報は、平面鏡の裏側に光源が設けられ、かつその平面鏡の一部が光源の光を透過させる透光部で構成された化粧鏡を開示している。この化粧鏡では、光源からの光が平面鏡の一部をなす乳白色の合成樹脂板等からなる透光部を透過してその前に位置する人を照射するため、防眩効果を発揮できる。また、この化粧鏡では、平面鏡の透光部により光源が隠蔽されているため、デザイン性を発揮できる。
【０００５】
しかしながら、かかる公報記載の化粧鏡では、使用時、透光部を透過した光により人を照射する一方、その透光部は光源を隠蔽するために透光性を低くする必要がある。このため、この化粧鏡では、光源において十分な光量を有していた光でも透光部を経た後に充分な光量を維持できず、その人等を充分に照明できない。
【０００６】
本発明は、上記従来の実状に鑑みてなされたものであって、防眩効果とデザイン性とを発揮しつつ、その前に位置する人等を充分な光量で照明し得る化粧鏡と、この化粧鏡を備えた洗面化粧台とを提供することを解決すべき課題とする。
【０００７】
【課題を解決するための手段】
本発明の化粧鏡は、略垂直に設けられた正面平面鏡と、該正面平面鏡に対して隣接して位置し、該正面平面鏡と面一の状態から該正面平面鏡に対して内向きの状態まで揺動可能に設けられた隣接平面鏡とを有する化粧鏡において、
前記正面平面鏡の端部裏側で前記隣接平面鏡の内側端よりも内側に光源が設けられ、該光源は、該隣接平面鏡が該正面平面鏡と面一の状態では該正面平面鏡及び該隣接平面鏡により実質的に隠蔽され、該隣接平面鏡が該正面平面鏡に対して内向きの状態では該隣接平面鏡により光が反射されるべく構成されていることを特徴とする。
【０００８】
本発明の化粧鏡では、正面平面鏡の端部裏側で隣接平面鏡の内側端よりも内側に光源が設けられ、デザイン性を発揮する。また、通常、正面平面鏡と、この正面平面鏡に対して隣接して位置し、正面平面鏡と面一の状態から正面平面鏡に対して内向きの状態まで揺動可能に設けられた隣接平面鏡とを有する二面又は三面の化粧鏡は、不使用状態では隣接平面鏡が正面平面鏡と面一の状態とされている。本発明の化粧鏡は、この状態では光源が正面平面鏡及び隣接平面鏡により実質的に隠蔽され、特にデザイン性を発揮する。なお、化粧鏡の使用の準備等のために光源のスイッチをＯＮし、光源からの光が正面平面鏡及び隣接平面鏡の間隙から漏れるようにすることも可能であり、この場合にはその漏れた光が装飾効果を発揮する。
【０００９】
そして、本発明の化粧鏡は、隣接平面鏡が正面平面鏡に対して内向きの状態まで揺動され、使用され得る。この状態では、光源からの光が隣接平面鏡により反射されてその前に位置する人を照射し、防眩効果を発揮できる。
また、本発明の化粧鏡では、使用時、隣接平面鏡により反射される光は、光量が必ずしも落とされずにその前に位置する人等に照射されることから、その人等を充分な光量で照明することが可能である。
【００１０】
したがって、本発明の化粧鏡では、防眩効果とデザイン性とを発揮しつつ、その前に位置する人等を充分な光量で照明することができる。
本発明の化粧鏡では、隣接平面鏡の裏側に収納空間が形成されていることが好ましい。かかる収納空間に化粧品等の小物を収納することができるとともに、使用時等にその隣接平面鏡を開けてその小物を取り出すことができるからである。
【００１１】
また、本発明の化粧鏡では、正面平面鏡も略垂直のまま揺動可能に設けられ、正面平面鏡の裏側にも収納空間が形成されていることが好ましい。かかる収納空間にやはり小物を収納することができるとともに、適宜その正面平面鏡を開けてその小物を取り出すことができるからである。
本発明の化粧鏡の前方に水栓及び洗面ボールをもつカウンタを設ければ、本発明の洗面化粧台となる。
【００１２】
本発明の洗面化粧台では、カウンタの下方に収納空間を形成し、この収納空間を蓋部材により開閉可能となすことができる。かかる収納空間にやはり小物を収納することができるとともに、適宜その蓋部材を開けてその小物を取り出すことができるからである。
また、本発明の洗面化粧台では、カウンタの下方にその蓋部材と面一をなす椅子を収納することが好ましい。洗面化粧台の使用する人がその椅子に腰掛けることができるからである。また、その椅子は収納時に蓋部材と面一をなすため、よりデザイン性を発揮する。
【００１３】
さらに、本発明の洗面化粧台では、その椅子に収納空間を形成し、この収納空間を蓋部材により開閉可能となすことができる。かかる収納空間にやはり小物を収納することができるとともに、適宜その蓋部材を開けてその小物を取り出すことができるからである。
【００１４】
【発明の実施の形態】
以下、本発明を具体化した実施形態を図面を参照しつつ説明する。
実施形態の洗面化粧台では、図１、図３及び図５に示すように、腰の高さ程に形成された箱体１の上面にカウンタ２が固定され、カウンタ２の上面には洗面ボール３が一体に設けられている。また、箱体１の背後からは枠体４が上方に一体的に延在されており、枠体４に化粧鏡５が設けられている。
【００１５】
枠体４の上下には前方にやや突出する縁部４ａ、４ｂが設けられ、縁部４ａ、４ｂの正面から見て中央やや右側には、図２及び図４に模式的に示すように、枢軸６が上下に突出して設けられており、これら枢軸６により正面平面鏡７が垂直のまま右側に揺動可能に設けられている（矢印Ａ）。正面平面鏡７は前面が鏡面とされており、正面平面鏡７の下端左側には前方に僅かに突出する把持部７ａが固定されている。正面平面鏡７の裏側には奥方向に凹み、複数段に仕切られた収納空間４ｃが形成され、この収納空間４ｃは正面平面鏡７により開閉可能になされている。この収納空間４ｃは化粧品等の小物を収納して便宜になされている。
【００１６】
また、縁部４ａ、４ｂの正面から見て左側には、枢軸８が上下に突出して設けられており、これら枢軸８により正面平面鏡７に対して左方に位置する左側平面鏡９が垂直のまま右側に揺動可能に設けられている（矢印Ｂ）。この際、左側平面鏡９は、図１及び図２に示すように、閉じられた正面平面鏡７と面一の状態から、図３及び図４に示すように、正面平面鏡７に対して内向きの状態をなす。また、枢軸８は、図２及び図４に示すように、その右側にも左側平面鏡９を存在させているとともに、左側平面鏡９のやや前側に延在されている。左側平面鏡９も前面が鏡面とされており、左側平面鏡９の下端左側にも前方に僅かに突出する把持部９ａが固定されている。左側平面鏡９の裏側にも奥方向に凹み、複数段に仕切られた収納空間４ｄが形成され、この収納空間４ｄも左側平面鏡９により開閉可能になされている。この収納空間４ｄも化粧品等の小物を収納して便宜になされている。
【００１７】
さらに、縁部４ａ、４ｂの正面から見て右側には、枢軸１０が上下に突出して設けられており、これら枢軸１０により正面平面鏡７に対して右方に位置する右側平面鏡１１が垂直のまま左側に揺動可能に設けられている（矢印Ｃ）。この際、右側平面鏡１１は、図１及び図２に示すように、閉じられた正面平面鏡７と面一の状態から、図３及び図４に示すように、正面平面鏡７に対して内向きの状態をなす。また、枢軸１０は、図２及び図４に示すように、その左側にも右側平面鏡１１を存在させているとともに、右側平面鏡１１のやや前側に延在されている。右側平面鏡１１も前面が鏡面とされており、右側平面鏡１１の下端右側にも前方に僅かに突出する把持部１１ａが固定されている。右側平面鏡１１の裏側にも奥方向に凹み、複数段に仕切られた収納空間４ｅが形成され、この収納空間４ｅも右側平面鏡１１により開閉可能になされている。この収納空間４ｅも化粧品等の小物を収納して便宜になされている。
【００１８】
図２及び図４に示すように、収納空間４ｃと収納空間４ｄとの間には奥方向に凹む光源空間４ｆが形成され、この光源空間４ｆ内には正面平面鏡７の裏側において枢軸８及び左側平面鏡９の右端より右側に位置して上下に延在する光源としての蛍光灯１２が収納され、蛍光灯１２の前方には蛍光灯１２を隠蔽する透明カバー１３が設けられている。また、収納空間４ｃと収納空間４ｅとの間にも奥方向に凹む光源空間４ｇが形成され、この光源空間４ｇ内には正面平面鏡７の裏側において枢軸１０及び右側平面鏡１１の左端より左側に位置して上下に延在する光源としての蛍光灯１４が収納され、蛍光灯１４の前方には蛍光灯１４を隠蔽する透明カバー１５が設けられている。こうして洗面化粧台の三面の化粧鏡５が構成されている。
【００１９】
また、この洗面化粧台では、図１、図３及び図５に示すように、化粧鏡５の前方では水栓１６が枠体４の下端に固定されており、縁部４ｂの右側には蛍光灯１２、１４のスイッチ及びコンセント等１７が設けられている。
さらに、箱体１のカウンタ２の下方左側では蓋部材１８が図示しない蝶番により左側に開閉可能に設けられており、蓋部材１８内はタオル等を収納可能な収納空間１９とされている。蓋部材１８の上方右側には水平に延在する取っ手１８ａが固定されている。
【００２０】
また、箱体１のカウンタ２の下方右側には収納時に閉じた蓋部材１８と面一をなす椅子２０が収納されている。この椅子２０は、図５に示すように、内部をトイレットペーパ等を収納して便宜な収納空間２１ａとする箱体２１と、この箱体２１の上面を図示しない蝶番により背後に開閉可能であり、座面ともなる蓋部材２２と、箱体２１の背面に固定され、蓋部材２２に着座する人の背もたれとなる背板部材２３とからなる。図１及び図３に示すように、背板部材２３の上方には蓋部材１８の取っ手１８ａと同軸に水平に延在する取っ手２３ａが固定されている。
【００２１】
以上のように構成された実施形態の洗面化粧台では、化粧鏡５の正面平面鏡７の裏側に蛍光灯１２、１４が設けられ、デザイン性を発揮している。また、この化粧鏡５では、図１及び図２に示すように、不使用状態では左側平面鏡９及び右側平面鏡１１が正面平面鏡７と面一の状態とされているため、この状態では蛍光灯１２、１４が正面平面鏡７、左側平面鏡９及び右側平面鏡１１により実質的に隠蔽され、特にデザイン性を発揮する。また、この状態で蛍光灯１２、１４のスイッチをＯＮすれば、図２に示すように、蛍光灯１２、１４からの光Ｌが正面平面鏡７及び左側平面鏡９の間隙並びに正面平面鏡７及び右側平面鏡１１の間隙から僅かに漏れ、その漏れた光Ｌにより室内装飾効果を発揮する。
【００２２】
また、この化粧鏡５では、蛍光灯１２、１４が正面平面鏡７、左側平面鏡９及び右側平面鏡１１内に隠蔽され、蛍光灯１２、１４及び透明カバー１３、１５に室内等の埃塵が堆積することを防止して清潔感を維持しやすい。さらに、この化粧鏡５では、正面平面鏡７、左側平面鏡９及び右側平面鏡１１の拭き取り掃除がしやすい。
【００２３】
そして、この化粧鏡５は、図３及び図４に示すように、人が把持部９ａを引くことにより、矢印Ｂ方向で左側平面鏡９が垂直のまま正面平面鏡７に対して内向きの状態まで揺動される。また、人が把持部１１ａを引くことにより、矢印Ｃ方向で右側平面鏡９が垂直のまま正面平面鏡７に対して内向きの状態まで揺動される。そして、使用され得る。この状態では、図４に示すように、蛍光灯１２、１４からの光Ｌが左側平面鏡９及び右側平面鏡１１により反射されてその前に位置する人を照射し、防眩効果を発揮できる。なお、光Ｌの照射角度は左側平面鏡９及び右側平面鏡１１の揺動角度により調整可能である。
【００２４】
また、この化粧鏡５では、使用時、左側平面鏡９及び右側平面鏡１１により反射される光Ｌは、透明カバー１３、１５を採用して光量が落とされずにその前に位置する人等に照射され、その人等を充分な光量で照明することが可能である。
そして、洗面化粧台としては、正面平面鏡７、左側平面鏡９及び右側平面鏡１１の裏側に収納空間４ｃ、４ｄ、４ｅが形成されているため、かかる収納空間４ｃ、４ｄ、４ｅに化粧品等の小物を収納することができるとともに、使用時等にその正面平面鏡７、左側平面鏡９又は右側平面鏡１１を開けてその小物を取り出すことができる。また、カウンタ２の下方の収納空間１９にやはり小物を収納することができるとともに、適宜取っ手１８ａを引いて蓋部材１８を開けることによりその小物を取り出すことができる。さらに、椅子２０が収納時に蓋部材１８と面一をなすため、よりデザイン性を発揮している。また、取っ手２３ａを引いてカウンタ２の下方の椅子２０に人が腰掛けることができ、その椅子２０の収納空間２１ａにやはり小物を収納することができ、適宜蓋部材２２を開けてその小物を取り出すことができる。
【００２５】
したがって、この化粧鏡５を備えた洗面化粧台では、防眩効果とデザイン性とを発揮しつつ、その前に位置する人等を充分な光量で照明することができる。
なお、上記実施形態では、隣接平面鏡として、正面平面鏡７に対して左方に位置する左側平面鏡９と正面平面鏡７に対して右方に位置する右側平面鏡１１とを採用したが、本発明では、図示はしないが、隣接平面鏡として、正面平面鏡に対して上方に位置する上側平面鏡と正面平面鏡に対して下方に位置する下側平面鏡とを採用することもできる。また、これらは、三面の化粧鏡として構成されず、二面の化粧鏡として構成されることもできる。
【図面の簡単な説明】
【図１】実施形態の洗面化粧台の不使用時の斜視図である。
【図２】実施形態の洗面化粧台に係り、図１の化粧鏡におけるＩＩ−ＩＩ矢視断面図である。
【図３】実施形態の洗面化粧台において、化粧鏡等の使用時の斜視図である。
【図４】実施形態の洗面化粧台に係り、図３の化粧鏡におけるＩＶ−ＩＶ矢視断面図である。
【図５】実施形態の洗面化粧台の使用時の斜視図である。
【符号の説明】
５…化粧鏡
７…正面平面鏡
９…左側平面鏡（隣接平面鏡）
１１…右側平面鏡（隣接平面鏡）
１２、１４…光源（蛍光灯）
４ｃ、４ｄ、４ｅ１９、２１ａ…、収納空間
１６…水栓
３…洗面ボール
２…カウンタ
１８、２２…蓋部材
２０…椅子
【図１】
0003852807.tif 000002
【図２】
0003852807.tif 000003
【図３】
0003852807.tif 000004
【図４】
0003852807.tif 000005
【図５】
0003852807.tif 000006